(57)【要約】【課題】簡易な構成で、効率よく、画像情報及び／又は音声情報を含むデジタル再生情報を記録媒体に記録することができる記録装置を提供する。【解決手段】ＤＶカムコーダ２０から、デジタル再生情報と、当該デジタル再生情報に同期したタイムコード情報と、を受信するＩ／Ｆ部１１と、ＣＰＵ１５１に、Ｉ／Ｆ部１１によりタイムコード情報が受信されたか否か、若しくは、Ｉ／Ｆ部１１により受信されたタイムコード情報の内容から、当該タイムコード情報に同期されたデジタル再生情報中に画像情報及び／又は音声情報が含まれるか否か、を判定させる判定プログラム１５３１と、ＣＰＵ１５１に、判定プログラム１５３１を実行したＣＰＵ１５１によりデジタル再生情報中に画像情報及び／又は音声情報が含まれないと判定された場合に、ドライブ部１４による記録動作を停止させる停止制御プログラム１５３２と、を備えるよう構成した。【選択図】図１
2007200407.tif 000002
【特許請求の範囲】
【請求項１】
再生装置に接続され、当該再生装置により再生されたデジタル再生情報を記録する記録装置において、
前記再生装置から、前記デジタル再生情報と、当該デジタル再生情報に同期したタイムコード情報と、を受信する受信手段と、
前記受信手段により受信された前記デジタル再生情報を、記録媒体に記録する記録手段と、
前記受信手段により前記デジタル再生情報を受信している状態で、前記受信手段によるタイムコード情報の受信の有無、若しくは、前記受信手段により受信されたタイムコード情報の内容から、前記受信手段により受信されたデジタル再生情報中に画像情報及び／又は音声情報が含まれるか否かを、所定の間隔毎に判定する判定手段と、
所定時間連続して、前記判定手段によりデジタル再生情報中に画像情報及び／又は音声情報が含まれないと判定された場合に、前記記録手段による記録動作を停止させる停止制御手段と、
前記停止制御手段により前記記録手段による記録動作が停止された場合に、前記再生装置に、再生動作を停止するよう指示する停止指示手段と、
を備えることを特徴とする記録装置。
【請求項２】
再生装置に接続され、当該再生装置により再生されたデジタル再生情報を記録する記録装置において、
前記再生装置から、前記デジタル再生情報と、当該デジタル再生情報に同期したタイムコード情報と、を受信する受信手段と、
前記受信手段により受信された前記デジタル再生情報を、記録媒体に記録する記録手段と、
前記受信手段により前記デジタル再生情報を受信している状態で、前記受信手段によるタイムコード情報の受信の有無、若しくは、前記受信手段により受信されたタイムコード情報の内容から、前記受信手段により受信されたデジタル再生情報中に画像情報及び／又は音声情報が含まれるか否かを判定する判定手段と、
前記判定手段によりデジタル再生情報中に画像情報及び／又は音声情報が含まれないと判定された場合に、前記記録手段による記録動作を停止させる停止制御手段と、
を備えることを特徴とする記録装置。
【請求項３】
請求項２に記載の記録装置において、
前記判定手段は、所定の間隔毎に実行し、
前記停止制御手段は、所定時間連続して、前記判定手段によりデジタル再生情報中に画像情報及び／又は音声情報が含まれないと判定された場合に、前記記録手段による記録動作を停止させることを特徴とする記録装置。
【請求項４】
請求項２又は３に記載の記録装置において、
前記停止制御手段により前記記録手段による記録動作が停止された場合に、前記再生装置に、再生動作を停止するよう指示する停止指示手段を備えることを特徴とする記録装置。
【請求項５】
請求項２又は３に記載の記録装置において、
前記停止制御手段により前記記録手段による記録動作が停止された後、前記判定手段によって、前記受信手段により受信されたデジタル再生情報中に画像情報及び／又は音声情報が含まれると判定された場合に、前記記録手段による記録動作を再開する再開制御手段を備えることを特徴とする記録装置。
【発明の詳細な説明】
【技術分野】
【０００１】
本発明は、記録装置に関する。
【背景技術】
【０００２】
従来、例えば、ＤＶＤ（Digital Versatile Disc）などの記録媒体に、画像情報及び／又は音声情報（以下、画像情報等という。）を記録する記録装置として、ＤＶＤレコーダが知られている。
【０００３】
具体的には、ＤＶＤレコーダは、例えば、撮影した画像情報等をＤＶ（Digital Video
）テープに記録することができ、さらに、当該ＤＶテープに記録した画像情報等を再生することができるデジタルカメラ一体型ビデオテープレコーダ（以下、ＤＶカムコーダという。）から受信した情報を、ＤＶＤに記録することができるようになっている。このとき、例えば、ＤＶＤレコーダの録画動作とＤＶカムコーダの再生動作を停止させないまま放っておくと、ＤＶカムコーダはＤＶテープに記録された画像情報等が無くなっても再生を続けるため、ＤＶＤには、画像情報等が記録されていない部分の情報（例えば、ブルーバック画面の情報など）まで記録されることとなって、ＤＶＤの記録領域が無駄になってしまうという問題がある。
【０００４】
このような問題に対して、ＤＶＤレコーダに、受信した情報の中に画像情報等が含まれるか否かを判定する判定機能があれば、ＤＶＤに画像情報等のみを記録することも可能である。しかしながら、当該判定機能はＤＶＤレコーダに備えられたチップの機能に依存するため、ＤＶＤレコーダに当該判定機能を付与するためには、ハードウエアを変えなければならず、大掛かりであり、コストもかかる。
【０００５】
そこで、ＤＶＤへの記録が終了した後に、画像情報等が記録されていない部分の情報をＤＶＤから消去する方法、具体的には、ＤＶテープのタイムコード情報をモニタリングして当該タイムコード情報が無信号（画像情報等が記録されていない部分の情報）を意味する値に変化したタイミングを検出し、当該検出したタイミングでのＤＶＤ上の記録アドレスを取得して記憶しておき、記録終了後に、当該記憶しておいた記録アドレス以降の情報をＤＶＤから消去する方法（例えば、特許文献１参照）などが提案された。
【特許文献１】特開２００４−３１８９２５号公報
【発明の開示】
【発明が解決しようとする課題】
【０００６】
しかしながら、特許文献１の方法では、例えば、ユーザがＤＶＤレコーダの録画動作を停止させるまで、ＤＶＤレコーダは、記録動作を続けるため、効率が悪いという問題がある。
【０００７】
本発明の課題は、簡易な構成で、効率よく、画像情報及び／又は音声情報を含むデジタル再生情報を記録媒体に記録することができる記録装置を提供することにある。
【課題を解決するための手段】
【０００８】
上記課題を解決するために、請求項１に記載の発明は、再生装置に接続され、当該再生装置により再生されたデジタル再生情報を記録する記録装置において、前記再生装置から、前記デジタル再生情報と、当該デジタル再生情報に同期したタイムコード情報と、を受信する受信手段と、前記受信手段により受信された前記デジタル再生情報を、記録媒体に記録する記録手段と、前記受信手段により前記デジタル再生情報を受信している状態で、前記受信手段によるタイムコード情報の受信の有無、若しくは、前記受信手段により受信
されたタイムコード情報の内容から、前記受信手段により受信されたデジタル再生情報中に画像情報及び／又は音声情報が含まれるか否かを、所定の間隔毎に判定する判定手段と、所定時間連続して、前記判定手段によりデジタル再生情報中に画像情報及び／又は音声情報が含まれないと判定された場合に、前記記録手段による記録動作を停止させる停止制御手段と、前記停止制御手段により前記記録手段による記録動作が停止された場合に、前記再生装置に、再生動作を停止するよう指示する停止指示手段と、を備えることを特徴とする。
【０００９】
請求項２に記載の発明は、再生装置に接続され、当該再生装置により再生されたデジタル再生情報を記録する記録装置において、前記再生装置から、前記デジタル再生情報と、当該デジタル再生情報に同期したタイムコード情報と、を受信する受信手段と、前記受信手段により受信された前記デジタル再生情報を、記録媒体に記録する記録手段と、前記受信手段により前記デジタル再生情報を受信している状態で、前記受信手段によるタイムコード情報の受信の有無、若しくは、前記受信手段により受信されたタイムコード情報の内容から、前記受信手段により受信されたデジタル再生情報中に画像情報及び／又は音声情報が含まれるか否かを判定する判定手段と、前記判定手段によりデジタル再生情報中に画像情報及び／又は音声情報が含まれないと判定された場合に、前記記録手段による記録動作を停止させる停止制御手段と、を備えることを特徴とする。
【００１０】
請求項３に記載の発明は、請求項２に記載の記録装置において、前記判定手段は、所定の間隔毎に実行し、前記停止制御手段は、所定時間連続して、前記判定手段によりデジタル再生情報中に画像情報及び／又は音声情報が含まれないと判定された場合に、前記記録手段による記録動作を停止させることを特徴とする。
【００１１】
請求項４に記載の発明は、請求項２又は３に記載の記録装置において、前記停止制御手段により前記記録手段による記録動作が停止された場合に、前記再生装置に、再生動作を停止するよう指示する停止指示手段を備えることを特徴とする。
【００１２】
請求項５に記載の発明は、請求項２又は３に記載の記録装置において、前記停止制御手段により前記記録手段による記録動作が停止された後、前記判定手段によって、前記受信手段により受信されたデジタル再生情報中に画像情報及び／又は音声情報が含まれると判定された場合に、前記記録手段による記録動作を再開する再開制御手段を備えることを特徴とする。
【発明の効果】
【００１３】
請求項１に記載の発明によれば、判定手段によって、受信手段によるタイムコード情報の受信の有無、若しくは、受信手段により受信されたタイムコード情報の内容から、前記受信手段により受信されたデジタル再生情報中に画像情報及び／又は音声情報が含まれるか否かを、所定の間隔毎に判定することができ、停止制御手段によって、所定時間連続して、判定手段によりデジタル再生情報中に画像情報及び／又は音声情報が含まれないと判定された場合に、記録手段による記録動作を停止させることができる。
【００１４】
すなわち、画像情報及び／又は音声情報が含まれるか否かを、再生装置から受信したデジタル再生情報から直接判定するのではなく、再生装置から受信したタイムコード情報に基づいて判定するだけなので、ハードウエアまで変える必要がなくなって、大掛かりにならず、コストもかからない。また、ユーザによって記録手段による記録動作が停止されなくても、再生装置から画像情報及び／又は音声情報を含まないデジタル再生情報を受信してから所定時間経過の間、画像情報及び／又は音声情報を含まないデジタル再生情報を受信し続けた場合には、自動的に、記録手段による記録動作を停止する。一方、再生装置から画像情報及び／又は音声情報を含まないデジタル再生情報を受信してから所定時間経過の間に、再び、画像情報及び／又は音声情報を含むデジタル再生情報を受信した場合には
、記録手段による記録動作を続行する。したがって、例えば、画像情報及び／又は音声情報を含む第１のデジタル再生情報と画像情報及び／又は音声情報を含む第２のデジタル再生情報との間に、画像情報及び／又は音声情報を含まないデジタル再生情報があったとしても、当該画像情報及び／又は音声情報を含まないデジタル再生情報の再生に要する時間が、所定時間以内であれば、第２のデジタル再生情報に含まれる画像情報及び／又は音声情報も逃すことなく記録することができる。したがって、簡易な構成で、効率よく、画像情報及び／又は音声情報を含むデジタル再生情報を記録媒体に記録することができる。
【００１５】
また、停止指示手段によって、停止制御手段により記録手段による記録動作が停止された場合に、再生装置に、再生動作を停止するよう指示することができる。
【００１６】
すなわち、ユーザが、記録手段による記録動作や再生装置による再生動作を停止しないまま放っておいても、再生装置から画像情報及び／又は音声情報を含まないデジタル再生情報を受信すると、自動的に、記録手段による記録動作や再生装置による再生動作を停止する。したがって、ユーザは記録装置による記録状況などに気を配る必要がなくなって、使い勝手のよい、記録装置を提供することができる。
【００１７】
請求項２に記載の発明によれば、判定手段によって、受信手段によるタイムコード情報の受信の有無、若しくは、受信手段により受信されたタイムコード情報の内容から、前記受信手段により受信されたデジタル再生情報中に画像情報及び／又は音声情報が含まれるか否かを判定することができ、停止制御手段によって、判定手段によりデジタル再生情報中に画像情報及び／又は音声情報が含まれないと判定された場合に、記録手段による記録動作を停止させることができる。
【００１８】
すなわち、画像情報及び／又は音声情報が含まれるか否かを、再生装置から受信したデジタル再生情報から直接判定するのではなく、再生装置から受信したタイムコード情報に基づいて判定するだけなので、ハードウエアまで変える必要がなくなって、大掛かりにならず、コストもかからない。また、ユーザによって記録手段による記録動作が停止されなくても、再生装置から画像情報及び／又は音声情報を含まないデジタル再生情報を受信すると、自動的に、記録手段による記録動作を停止する。したがって、簡易な構成で、効率よく、画像情報及び／又は音声情報を含むデジタル再生情報を記録媒体に記録することができる。
【００１９】
請求項３に記載の発明によれば、請求項２に記載の発明と同様の効果が得られることは無論のこと、停止制御手段は、所定時間連続して、判定手段によりデジタル再生情報中に画像情報及び／又は音声情報が含まれないと判定された場合に、記録手段による記録動作を停止させる。
【００２０】
すなわち、ユーザによって記録手段による記録動作が停止されなくても、画像情報及び／又は音声情報を含まないデジタル再生情報を受信してから所定時間経過の間、画像情報及び／又は音声情報を含まないデジタル再生情報を受信し続けた場合には、自動的に、記録手段による記録動作を停止する。一方、画像情報及び／又は音声情報を含まないデジタル再生情報を受信してから所定時間経過の間に、再び、画像情報及び／又は音声情報を含むデジタル再生情報を受信した場合には、記録手段による記録動作を続行する。したがって、例えば、画像情報及び／又は音声情報を含む第１のデジタル再生情報と画像情報及び／又は音声情報を含む第２のデジタル再生情報との間に、画像情報及び／又は音声情報を含まないデジタル再生情報があったとしても、当該画像情報及び／又は音声情報を含まないデジタル再生情報の再生に要する時間が、所定時間以内であれば、第２のデジタル再生情報に含まれる画像情報及び／又は音声情報も逃すことなく記録することができることとなって、より効率よく、画像情報及び／又は音声情報を含むデジタル再生情報を記録媒体に記録することができる。
【００２１】
請求項４に記載の発明によれば、請求項２又は３に記載の発明と同様の効果が得られることは無論のこと、停止指示手段によって、停止制御手段により記録手段による記録動作
が停止された場合に、再生装置に、再生動作を停止するよう指示することができる。
【００２２】
すなわち、ユーザが、記録手段による記録動作や再生装置による再生動作を停止しないまま放っておいても、再生装置から画像情報及び／又は音声情報を含まないデジタル再生情報を受信すると、自動的に、記録手段による記録動作や再生装置による再生動作を停止する。したがって、ユーザは記録装置による記録状況などに気を配る必要がなくなって、使い勝手のよい、記録装置を提供することができる。
【００２３】
請求項５に記載の発明によれば、請求項２又は３に記載の発明と同様の効果が得られることは無論のこと、再開制御手段によって、停止制御手段により記録手段による記録動作が停止された後、判定手段によって、受信手段により受信されたデジタル再生情報中に画像情報及び／又は音声情報が含まれると判定された場合に、記録手段による記録動作を再開することができる。
【００２４】
すなわち、記録手段による記録動作を停止しても、再び、再生装置から画像情報及び／又は音声情報を含むデジタル再生情報を受信すると、記録手段による記録動作を再開する。したがって、例えば、画像情報及び／又は音声情報を含む第１のデジタル再生情報と画像情報及び／又は音声情報を含む第２のデジタル再生情報との間に、画像情報及び／又は音声情報を含まないデジタル再生情報があり、当該画像情報及び／又は音声情報を含まないデジタル再生情報の受信に伴って記録手段による記録動作を停止したとしても、第２のデジタル再生情報を受信すると、記録手段による記録動作を再開するため、第２のデジタル再生情報に含まれる画像情報及び／又は音声情報も逃すことなく記録することができることとなって、より一層効率よく、画像情報及び／又は音声情報を含むデジタル再生情報を記録媒体に記録することができる。
【発明を実施するための最良の形態】
【００２５】
以下、図を参照して、本発明にかかる記録装置の最良の形態を詳細に説明する。なお、発明の範囲は、図示例に限定されない。
【００２６】
本実施形態では、記録装置としてＤＶＤレコーダを例示して、再生装置としてＤＶカムコーダを例示して、説明することとする。
[第１の実施の形態]
＜構成＞
まず、第１の実施の形態におけるＤＶＤレコーダ１０の構成について説明する。
【００２７】
ＤＶＤレコーダ１０は、ＤＶカムコーダ２０に接続され、ＤＶカムコーダ２０によりＤＶテープ２から再生されたデジタル再生情報を記録する。
【００２８】
ＤＶＤレコーダ１０は、例えば、図１に示すように、受信手段としてのＩ／Ｆ部１１、デコーダ１２、エンコーダ１３、記録手段としてのドライブ部１４、制御部１５、入力部１６、計時部１７などを備えて構成される。ＤＶＤレコーダ１０は、ケーブル３を介して、ＤＶカムコーダ２０と接続されており、互いに情報を送受信することができるようになっている。
【００２９】
ＤＶＤレコーダ１０がＤＶカムコーダ２０から受信する情報としては、例えば、デジタル再生情報や、当該デジタル再生情報に同期したタイムコード情報などがある。
【００３０】
デジタル再生情報は、ＤＶカムコーダ２０により再生された、ＤＶテープ２に記録された画像情報及び／又は音声情報（以下、画像情報等という。）を含む情報や、ＤＶテープ２における画像情報等が記録されていない部分の情報、すなわち、画像情報等を含まない情報などである。
【００３１】
タイムコード情報は、ＤＶテープ２の再生位置に同期した情報である。ＤＶテープ２には、予め、特定の値（例えば、「ＦＦ：ＦＦ：ＦＦ：ＦＦ」、「００：００：００：００」、「・・：・・：・・：・・」など）を示すタイムコード情報が記録されている。そし
て、ＤＶテープ２に画像情報等が記録される際に、当該画像情報等とともに、当該画像情報等が記録されるテープ位置に対応した時間を表す値（例えば、「００：５４：３２：１０」など）を示すタイムコード情報が記録されるようになっている。そして、ＤＶカムコーダ２０により、ＤＶテープ２から、ＤＶテープ２の再生位置に記録されたデジタル再生情報とタイムコード情報とが再生されるようになっている。すなわち、デジタル再生情報が、画像情報等を含まないデジタル再生情報の場合には、タイムコード情報の内容は、特定の値（例えば、「ＦＦ：ＦＦ：ＦＦ：ＦＦ」など）となり、画像情報等を含むデジタル再生情報の場合には、タイムコード情報の内容は、時間を表す値（例えば、「００：５４：３２：１０」など）となる。
【００３２】
ケーブル３は、例えば、ＩＥＥＥ１３９４ケーブルなどの、デジタル情報伝送用のインターフェイスケーブルである。ケーブル３は、例えば、図１に示すように、ＤＶＤレコーダ１０のＩ／Ｆ部１１と、ＤＶカムコーダ２０と、を接続している。
【００３３】
Ｉ／Ｆ部１１は、ＤＶカムコーダ２０などの外部機器との間で各種デジタル情報を送受信するための入出力端子を備えるインターフェイスである。
【００３４】
具体的には、Ｉ／Ｆ部１１は、例えば、受信手段として、ＤＶカムコーダ２０から、デジタル再生情報と、当該デジタル再生情報に同期したタイムコード情報と、を受信する。
【００３５】
デコーダ１２は、Ｉ／Ｆ部１１により受信されたデジタル再生情報を、所定の復号化フォーマットのデジタル再生情報にデコードする。
【００３６】
エンコーダ１３は、デコーダ１２によりデコードされた所定の復号化フォーマットのデジタル再生情報を、所定の符号化フォーマットのデジタル再生情報にエンコードする。
【００３７】
ドライブ部１４は、ＤＶＤ１に対して物理的にアクセスすることによって、ＤＶＤ１に情報を記録したり、或いは、ＤＶＤ１に記録された情報を再生する。
【００３８】
具体的には、ドライブ部１４は、例えば、記録手段として、制御部１５からの指示に従って、Ｉ／Ｆ部１１により受信され、デコーダ１２によりデコードされ、エンコーダ１３によりエンコードされたデジタル再生情報を、記録媒体としてのＤＶＤ１に記録する。
【００３９】
制御部１５は、例えば、図１に示すように、ＣＰＵ（Central Processing Unit）１５
１、ＲＡＭ（Random Access Memory）１５２、記憶部１５３などを備える。
【００４０】
ＣＰＵ１５１は、記憶部１５３に記憶されたＤＶＤレコーダ１０用の各種処理プログラムに従って各種の制御動作を行う。
【００４１】
ＲＡＭ１５２は、ＣＰＵ１５１によって実行される処理プログラムなどを展開するためのプログラム格納領域や、入力データや上記処理プログラムが実行される際に生じる処理結果などを格納するデータ格納領域などを備える。
【００４２】
記憶部１５３は、ＤＶＤレコーダ１０で実行可能なシステムプログラム、当該システムプログラムで実行可能な各種処理プログラム、これら各種処理プログラムを実行する際に使用されるデータ、ＣＰＵ１５１によって演算処理された処理結果のデータなどを記憶する。なお、プログラムは、コンピュータが読み取り可能なプログラムコードの形で記憶部１５３に記憶されている。
【００４３】
具体的には、記憶部１５３には、例えば、図１に示すように、判定プログラム１５３１、停止制御プログラム１５３２、停止指示プログラム１５３３などが記憶されている。
【００４４】
判定プログラム１５３１は、ＣＰＵ１５１に、ＤＶカムコーダ２０が再生状態、すなわ
ち、Ｉ／Ｆ部１１によりデジタル再生情報を受信している状態で、Ｉ／Ｆ部１１によるタイムコード情報の受信の有無、若しくは、Ｉ／Ｆ部１１により受信されたタイムコード情報の内容から、Ｉ／Ｆ部１１により受信されたデジタル再生情報中に画像情報等が含まれるか否かを、所定の間隔毎に判定する機能を実現させる。
【００４５】
具体的には、Ｉ／Ｆ部１１によりタイムコード情報とともにデジタル再生情報が受信され、且つ、当該受信されたタイムコード情報の内容が時間を表す値（例えば、「００：５４：３２：１０」など）を示すの場合には、ＣＰＵ１５１は、当該受信されたデジタル再生情報中に画像情報等が含まれると判定する。
【００４６】
また、Ｉ／Ｆ部１１によりタイムコード情報とともにデジタル再生情報が受信され、且つ、当該受信されたタイムコード情報の内容が特定の値（例えば、「ＦＦ：ＦＦ：ＦＦ：ＦＦ」など）を示す場合には、ＣＰＵ１５１は、当該受信されたデジタル再生情報中に画像情報等が含まれないと判定する。
【００４７】
また、Ｉ／Ｆ部１１によりデジタル再生情報のみが受信され、タイムコード情報が受信されない場合には、ＣＰＵ１５１は、当該受信されたデジタル再生情報中に画像情報等が含まれないと判定する。
【００４８】
ＣＰＵ１５１は、かかる判定プログラム１５３１によって、判定手段として機能する。
【００４９】
停止制御プログラム１５３２は、ＣＰＵ１５１に、所定時間連続して、判定プログラム１５３１を実行したＣＰＵ１５１によりデジタル再生情報中に画像情報等が含まれないと判定された場合に、ドライブ部１４による記録動作を停止させる機能を実現させる。
【００５０】
具体的には、判定プログラム１５３１を実行したＣＰＵ１５１が、デジタル再生情報中に画像情報等が含まれないと判定すると、ＣＰＵ１５１は、停止制御プログラム１５３２を実行して、計時部１７による計時を開始させる。そして、計時部１７による計時を開始してから所定時間が経過するまでの間、連続して、判定プログラム１５３１を実行したＣＰＵ１５１によりデジタル再生情報中に画像情報等が含まれないと判定された場合に、ＣＰＵ１５１は、ドライブ部１４による記録動作を停止させる。
【００５１】
より具体的に、図２を参照して、停止制御プログラム１５３２を実行したＣＰＵ１５１による停止制御処理について説明する。図２（ａ）及び（ｂ）は、それぞれ、ＣＰＵ１５１が判定プログラム１５３１を実行して判定を開始してからの時間と、ＣＰＵ１５１が判定プログラム１５３１を実行して判定したデジタル再生情報の種類（画像情報等を含むデジタル再生情報（[Ａ]）、或いは、画像情報等を含まないデジタル再生情報（[Ｂ]））と、の関係を示す一例である。図２（ａ）の場合は、判定が[Ａ]から[Ｂ]に変わる時点[ａ
１]から所定時間（[Ｔ]）が経過するまでの間、すなわち、時点[ａ１]から時点[ａ２]ま
での間、連続して、判定プログラム１５３１を実行したＣＰＵ１５１は、[Ｂ]であると判定する。したがって、時点[ａ２]での判定の後、ＣＰＵ１５１は、停止制御プログラム１５３２を実行して、ドライブ部１４による記録動作を停止させる。一方、図２（ｂ）の場合は、判定が[Ａ]から[Ｂ]に変わる時点[ｂ１]から所定時間（[Ｔ]）が経過するまでの間の途中の時点[ｂ２]で、判定が[Ｂ]から[Ａ]に変わる。したがって、ＣＰＵ１５１は、停止制御プログラムを実行しない。
【００５２】
ＣＰＵ１５１は、かかる停止制御プログラム１５３２を実行することによって、停止制御手段として機能する。
【００５３】
停止指示プログラム１５３３は、ＣＰＵ１５１に、停止制御プログラム１５３２を実行したＣＰＵ１５１によりドライブ部１４による記録動作が停止された場合に、ＤＶカムコーダ２０に、再生動作を停止するよう指示する機能を実現させる。
【００５４】
具体的には、停止制御プログラム１５３２を実行したＣＰＵ１５１によりドライブ部１４による記録動作が停止されると、ＣＰＵ１５１は、停止指示プログラム１５３３を実行して、Ｉ／Ｆ部１１及びケーブル３を介して、ＤＶカムコーダ２０に、再生動作を停止するよう指示する。
【００５５】
ＣＰＵ１５１は、かかる停止指示プログラム１５３３を実行することによって、停止指
示手段として機能する。
【００５６】
入力部１６は、例えば、カーソルキー、文字／数字キー、各種機能キーなどから構成され、オペレータのキー操作に伴う押下信号をＣＰＵ１５１に出力する。また、入力部１６は、必要に応じてリモコンなど、その他の入力装置を備えるものとしてもよい。
【００５７】
具体的には、入力部１６は、例えば、記録開始ボタン（図示省略）などを備えている。
【００５８】
計時部１７は、ＣＰＵ１５１から入力される制御信号に従って、所与の計時処理を行う。
【００５９】
具体的には、計時部１７は、停止制御プログラム１５３２を実行したＣＰＵ１５１からの指示に従って、計時を開始し、ＣＰＵ１５１からの指示に従って、計時を停止する。
＜処理＞
次に、ＤＶＤレコーダ１０における、ＤＶＤへの記録に関する処理について、図３のフローチャートを参照して説明する。
【００６０】
まず、例えば、ユーザによる入力部１６の記録開始ボタン（図示省略）の押下に伴って、入力部１６から記録動作の開始が指示されると（ステップＳ１１）、ＣＰＵ１５１は、ドライブ部１４に、ドライブ部１４によるＤＶＤ１への記録動作を開始させる（ステップＳ１２）。
【００６１】
次いで、ＣＰＵ１５１は、Ｉ／Ｆ部１１が、ＤＶカムコーダ２０から、デジタル再生情報を受信したか否かを判定する（ステップＳ１３）。
【００６２】
ここで、例えば、ＤＶカムコーダ２０による再生動作が実行され、そして、Ｉ／Ｆ部１１が、当該再生動作に伴い再生されたデジタル再生情報を受信した場合において、ＣＰＵ１５１は、ステップＳ１３で、デジタル再生情報を受信したと判定する。
【００６３】
ステップＳ１３で、デジタル再生情報を受信していないと判定すると（ステップＳ１３；Ｎｏ）、ＣＰＵ１５１は、計時部１７が計時を行っているか否かを判定する（ステップＳ１４）。
【００６４】
ステップＳ１４で、計時を行っていないと判定すると（ステップＳ１４；Ｎｏ）、ＣＰＵ１５１は、停止制御プログラム１５３２を実行して、計時部１７による計時を開始させ（ステップＳ１５）、ステップＳ１３以降の処理を繰り返して行う。
【００６５】
一方、ステップＳ１４で、計時を行っていると判定すると（ステップＳ１４；Ｙｅｓ）、ＣＰＵ１５１は、停止制御プログラム１５３２を実行して、ステップＳ１５又はステップＳ２２（後述）で開始させた計時部１７による計時の時間が所定時間を超えたか否か、すなわち、計時を開始してから所定時間が経過したか否かを判定する（ステップＳ１６）。
【００６６】
ステップＳ１６で、所定時間が経過していないと判定すると（ステップＳ１６；Ｎｏ）、ＣＰＵ１５１は、ステップＳ１３以降の処理を繰り返して行う。
【００６７】
一方、ステップＳ１６で、所定時間が経過したと判定すると（ステップＳ１６；Ｙｅｓ）、ＣＰＵ１５１は、ステップＳ２４の処理に移行する。
【００６８】
また、ステップＳ１３で、デジタル再生情報を受信したと判定すると（ステップＳ１３；Ｙｅｓ）、ＣＰＵ１５１は、判定プログラム１５３１を実行して、当該受信したデジタル再生情報とともに、タイムコード情報を受信したか否かを判定する（ステップＳ１７）
。
【００６９】
ステップＳ１７で、タイムコード情報を受信していないと判定すると（ステップＳ１７；Ｎｏ）、ＣＰＵ１５１は、ステップＳ１４の処理に移行する。
【００７０】
一方、ステップＳ１７で、タイムコード情報を受信したと判定すると（ステップＳ１７；Ｙｅｓ）、ＣＰＵ１５１は、判定プログラム１５３１を実行して、当該受信したタイムコード情報の内容から、当該タイムコード情報に同期されたデジタル再生情報中に、すなわち、ステップＳ１３で受信したと判定されたデジタル再生情報中に、画像情報等が含まれるか否かを判定する（ステップＳ１８）。
【００７１】
ステップＳ１８で、デジタル再生情報中に画像情報等が含まれると判定すると（ステップＳ１８；Ｙｅｓ）、ＣＰＵ１５１は、計時部１７が計時を行っているか否かを判定する（ステップＳ１９）。
【００７２】
ステップＳ１９で、計時を行っていると判定すると（ステップＳ１９；Ｙｅｓ）、ＣＰＵ１５１は、計時部１７による計時を停止させて（ステップＳ２０）、ステップＳ１３以降の処理を繰り返して行う。
【００７３】
一方、ステップＳ１９で、計時を行っていないと判定すると（ステップＳ１９；Ｎｏ）、ＣＰＵ１５１は、ステップＳ１３以降の処理を繰り返して行う。
【００７４】
また、ステップＳ１８で、デジタル再生情報中に画像情報等が含まれないと判定すると（ステップＳ１８；Ｎｏ）、ＣＰＵ１５１は、計時部１７が計時を行っているか否かを判定する（ステップＳ２１）。
【００７５】
ステップＳ２１で、計時を行っていないと判定すると（ステップＳ２１；Ｎｏ）、ＣＰＵ１５１は、停止制御プログラム１５３２を実行して、計時部１７による計時を開始させ（ステップＳ２２）、ステップＳ１３以降の処理を繰り返して行う。
【００７６】
一方、ステップＳ２１で、計時を行っていると判定すると（ステップＳ２１；Ｙｅｓ）、ＣＰＵ１５１は、停止制御プログラム１５３２を実行して、ステップＳ１５又はステップＳ２２で開始させた計時部１７による計時の時間が所定時間を超えたか否か、すなわち、計時を開始してから所定時間が経過したか否かを判定する（ステップＳ２３）。
【００７７】
ステップＳ２３で、所定時間が経過していないと判定すると（ステップＳ２３；Ｎｏ）、ＣＰＵ１５１は、ステップＳ１３以降の処理を繰り返して行う。
【００７８】
一方、ステップＳ２３で、所定時間が経過したと判定すると（ステップＳ２３；Ｙｅｓ）、ＣＰＵ１５１は、停止制御プログラム１５３２を実行して、ドライブ部１４に、ドライブ部１４によるＤＶＤ１への記録動作を停止させる（ステップＳ２４）。
【００７９】
次いで、ＣＰＵ１５１は、停止指示プログラム１５３３を実行して、ＤＶカムコーダ２０に、ＤＶカムコーダ２０による再生動作を停止するよう指示して（ステップＳ２５）、本処理を終了する。
【００８０】
以上説明した第１の実施の形態のＤＶＤレコーダ１０によれば、判定プログラム１５３１を実行したＣＰＵ１５１によって、Ｉ／Ｆ部１１によるタイムコード情報の受信の有無、若しくは、Ｉ／Ｆ部１１により受信されたタイムコード情報の内容から、Ｉ／Ｆ部１１により受信されたデジタル再生情報中に画像情報等が含まれるか否かを、所定の間隔毎に
判定することができ、停止制御プログラム１５３２を実行したＣＰＵ１５１によって、所定時間連続して、判定プログラム１５３１を実行したＣＰＵ１５１によりデジタル再生情報中に画像情報等が含まれないと判定された場合に、ドライブ部１４によるＤＶＤ１への記録動作を停止させることができる。
【００８１】
すなわち、画像情報等が含まれるか否かを、ＤＶカムコーダ２０から受信したデジタル再生情報から直接判定するのではなく、ＤＶカムコーダ２０から受信したタイムコード情報に基づいて判定するだけなので、ハードウエアまで変える必要がなくなって、大掛かりにならず、コストもかからない。また、ユーザによってドライブ部１４による記録動作が停止されなくても、ＤＶカムコーダ２０から画像情報等を含まないデジタル再生情報を受信してから所定時間経過の間、画像情報等を含まないデジタル再生情報を受信し続けた場合には、自動的に、ドライブ部１４による記録動作を停止する。一方、ＤＶカムコーダ２０から画像情報等を含まないデジタル再生情報を受信してから所定時間経過の間に、再び、画像情報等を含むデジタル再生情報を受信した場合には、ドライブ部１４による記録動作を続行する。したがって、例えば、画像情報等を含む第１のデジタル再生情報と画像情報等を含む第２のデジタル再生情報との間に、画像情報等を含まないデジタル再生情報があったとしても、当該画像情報等を含まないデジタル再生情報の再生に要する時間が、所定時間以内であれば、第２のデジタル再生情報に含まれる画像情報等も逃すことなく記録することができる。したがって、簡易な構成で、効率よく、画像情報等を含むデジタル再生情報をＤＶＤ１に記録することができる。
【００８２】
また、停止指示プログラム１５３３を実行したＣＰＵ１５１によって、停止制御プログラム１５３２を実行したＣＰＵ１５１によりドライブ部１４によるＤＶＤ１への記録動作が停止された場合に、ＤＶカムコーダ２０に、再生動作を停止するよう指示することができる。
【００８３】
すなわち、ユーザが、ドライブ部１４による記録動作やＤＶカムコーダ２０による再生動作を停止しないまま放っておいても、ＤＶカムコーダ２０から画像情報等を含まないデジタル再生情報を受信すると、自動的に、ドライブ部１４による記録動作やＤＶカムコーダ２０による再生動作を停止する。したがって、ユーザはＤＶＤレコーダ１０による記録状況などに気を配る必要がなくなって、使い勝手のよい、ＤＶＤレコーダ１０を提供することができる。
[第２の実施の形態]
＜構成＞
まず、ＤＶＤレコーダ１０ａの構成を、図４を参照して説明する。
【００８４】
なお、第２の実施の形態のＤＶＤレコーダ１０ａは、ＤＶＤ１への記録動作が停止された後、ＤＶカムコーダ２０に対する停止指示は行わず、再び、ＤＶカムコーダ２０から画像情報等を含むデジタル再生情報を受信すると、ＤＶＤ１への記録動作を再開する点においてのみ第１の実施の形態のＤＶＤレコーダ１０（図１）と異なる。具体的には、ＤＶＤレコーダ１０（図１）における制御部１５の記憶部１５３の構成の一部が異なる。したがって、異なる箇所のみについて説明し、その他の共通する部分は同一符号を付して説明する。
【００８５】
具体的には、ＤＶＤレコーダ１０ａの制御部１５ａの記憶部１５３ａには、例えば、図３に示すように、判定プログラム１５３１、停止制御プログラム１５３２、再開制御プログラム１５３４ａ、巻戻し指示プログラム１５３５ａなどが記憶されている。
【００８６】
再開制御プログラム１５３４ａは、ＣＰＵ１５１に、停止制御プログラム１５３２を実行したＣＰＵ１５１によりドライブ部１４による記録動作が停止された後、判定プログラム１５３１を実行したＣＰＵ１５１によって、Ｉ／Ｆ部１１により受信されたデジタル再生情報中に画像情報等が含まれると判定された場合に、ドライブ部１４による記録動作を
再開する機能を実現させる。
【００８７】
より具体的に、図５を参照して、再開制御プログラム１５３４ａを実行したＣＰＵ１５１による再開制御処理について説明する。図５は、ＣＰＵ１５１が判定プログラム１５３１を実行して判定を開始してからの時間と、ＣＰＵ１５１が判定プログラム１５３１を実行して判定したデジタル再生情報の種類（画像情報等を含むデジタル再生情報（[Ａ]）、或いは、画像情報等を含まないデジタル再生情報（[Ｂ]））と、の関係を示す一例である。図５においては、判定が[Ａ]から[Ｂ]に変わる時点[ｃ１]から、判定が[Ｂ]から[Ａ]に変わる時点[ｃ２]までの時間が、所定時間（[Ｔ]）、すなわち、時点[ｃ１]から時点[ｃ
３]までの時間を超えるため、時点[ｃ３]での判定の後、ＣＰＵ１５１は、停止制御プロ
グラム１５３２を実行して、ドライブ部１４による記録動作を停止させる。その後の時点[ｃ２]で、判定が[Ｂ]から[Ａ]に変わり、当該時点[ｃ２]での判定の後、ＣＰＵ１５１は、例えば、巻戻し指示プログラム１５３５ａ（後述）を実行して、再開制御プログラム１５３４ａを実行し、ドライブ部１４による記録動作を再開する。
【００８８】
ＣＰＵ１５１は、かかる再開制御プログラム１５３５ａを実行することによって、再開制御手段として機能する。
【００８９】
巻戻し指示プログラム１５３５ａは、ＣＰＵ１５１に、停止制御プログラム１５３２を実行したＣＰＵ１５１によりドライブ部１４による記録動作が停止された後、判定プログラム１５３１を実行したＣＰＵ１５１によって、Ｉ／Ｆ部１１により受信されたデジタル再生情報中に画像情報等が含まれると判定された場合に、ＤＶカムコーダ２０に、予め設定された分だけ、ＤＶテープ２を巻戻して再生するよう指示する機能を実現させる。
【００９０】
より具体的には、図５のおいて、時点[ｃ２]での判定の後、ＣＰＵ１５１は、巻戻し指示プログラム１５３５ａを実行して、Ｉ／Ｆ部１１及びケーブル３を介して、ＤＶカムコーダ２０に、予め設定された分だけ、ＤＶテープ２を巻戻して再生するよう指示し、再開制御プログラム１５３４ａを実行する。当該指示によって、再開制御プログラム１５３４ａを実行したＣＰＵ１５１によりドライブ部１４による記録動作が再開された際に、時点[ｃ２]で判定された[Ａ]が、確実にＤＶＤ１に記録されることとなる。すなわち、当該指示によって、いわゆる頭切れを起こすことなく、時点[ｃ２]から時点[ｃ４]までで判定された[Ａ]の全てが、ＤＶＤ１に記録されることとなる。したがって、当該指示によって巻戻されるＤＶテープ２のテープ部分の長さは、当該長さのテープ部分からデジタル再生情報を再生した際に、当該再生に要する時間が所定時間（[Ｔ]）よりも短くなるように設定されている。
＜処理＞
次に、ＤＶＤレコーダ１０ａにおける、ＤＶＤ１への記録に関する処理について、図６のフローチャートを参照して説明する。
【００９１】
図３に示すステップＳ１１〜ステップＳ２４の処理を行い、そして、ステップＳ２４の処理を終了すると、ＣＰＵ１５１は、Ｉ／Ｆ部１１が、ＤＶカムコーダ２０から、デジタル再生情報を受信したか否かを判定する（ステップＳ３１）。
【００９２】
ステップＳ３１で、デジタル再生情報を受信していないと判定すると（ステップＳ３１；Ｎｏ）、ＣＰＵ１５１は、ステップＳ３１の処理を繰り返して行う。
【００９３】
一方、ステップＳ３１で、デジタル再生情報を受信したと判定すると（ステップＳ３１；Ｙｅｓ）、ＣＰＵ１５１は、判定プログラム１５３１を実行して、当該受信したデジタル再生情報とともに、タイムコード情報を受信したか否かを判定する（ステップＳ３２）。
【００９４】
ステップＳ３２で、タイムコード情報を受信していないと判定すると（ステップＳ３２
；Ｎｏ）、ＣＰＵ１５１は、ステップＳ３１以降の処理を繰り返して行う。
【００９５】
一方、ステップＳ３２で、タイムコード情報を受信したと判定すると（ステップＳ３２；Ｙｅｓ）、ＣＰＵ１５１は、判定プログラム１５３１を実行して、当該受信したタイムコード情報の内容から、当該タイムコード情報に同期されたデジタル再生情報中に、すなわち、ステップＳ３１で受信したと判定されたデジタル再生情報中に、画像情報等が含まれるか否かを判定する（ステップＳ３３）。
【００９６】
ステップＳ３３で、デジタル再生情報中に画像情報等が含まれないと判定すると（ステップＳ３３；Ｎｏ）、ＣＰＵ１５１は、ステップＳ３１以降の処理を繰り返して行う。
【００９７】
一方、ステップＳ３３で、デジタル再生情報中に画像情報等が含まれると判定すると（ステップＳ３３；Ｙｅｓ）、ＣＰＵ１５１は、巻戻し指示プログラム１５３５ａを実行して、ＤＶカムコーダ２０に、予め設定された分だけ、ＤＶテープ２を巻戻して再生するよう指示する（ステップＳ３４）。
【００９８】
次いで、ＣＰＵ１５１は、Ｉ／Ｆ部１１が、ＤＶカムコーダ２０から、デジタル再生情報を受信したか否かを判定する（ステップＳ３５）。
【００９９】
ここで、ＤＶカムコーダ２０によるＤＶテープ２の巻戻しが終了し、ＤＶカムコーダ２０による再生動作が再開され、そして、Ｉ／Ｆ部１１が、当該再生動作に伴い再生されたデジタル再生情報を受信した場合において、ＣＰＵ１５１は、ステップＳ３５で、デジタル再生情報を受信したと判定する。
【０１００】
ステップＳ３５で、デジタル再生情報を受信していないと判定すると（ステップＳ３５；Ｎｏ）、ＣＰＵ１５１は、ステップＳ３５の処理を繰り返して行う。
【０１０１】
一方、ステップＳ３５で、デジタル再生情報を受信したと判定すると（ステップＳ３５；Ｙｅｓ）、ＣＰＵ１５１は、再開制御プログラム１５３４ａを実行して、ドライブ部１４に、ドライブ部１４によるＤＶＤ１への記録動作を再開させ（ステップＳ３６）、ステップＳ１３（図３）の処理に移行する。
【０１０２】
以上説明した第２の実施の形態のＤＶＤレコーダ１０ａによれば、再開制御プログラム１５３４ａを実行したＣＰＵ１５１によって、停止制御プログラム１５３２を実行したＣＰＵ１５１によりドライブ部１４によるＤＶＤ１への記録動作が停止された後、判定プログラム１５３１を実行したＣＰＵ１５１によって、Ｉ／Ｆ部１１により受信されたデジタル再生情報中に画像情報等が含まれると判定された場合に、ドライブ部１４によるＤＶＤ１への記録動作を再開することができる。
【０１０３】
すなわち、ドライブ部１４による記録動作を停止しても、再び、ＤＶカムコーダ２０から画像情報等を含むデジタル再生情報を受信すると、ドライブ部１４による記録動作を再開する。したがって、例えば、画像情報等を含む第１のデジタル再生情報と画像情報等を含む第２のデジタル再生情報との間に、画像情報等を含まないデジタル再生情報があり、当該画像情報等を含まないデジタル再生情報の受信に伴ってドライブ部１４による記録動作を停止したとしても、ＤＶカムコーダ２０から第２のデジタル再生情報を受信すると、ドライブ部１４による記録動作を再開するため、第２のデジタル再生情報に含まれる画像情報等も逃すことなく記録することができる。したがって、簡易な構成で、効率よく、画像情報等を含むデジタル再生情報をＤＶＤ１に記録することができる。
【０１０４】
また、巻戻し指示プログラム１５３５ａを実行したＣＰＵ１５１によって、停止制御プログラム１５３２を実行したＣＰＵ１５１によりドライブ部１４による記録動作が停止された後、判定プログラム１５３１を実行したＣＰＵ１５１によって、Ｉ／Ｆ部１１により
受信されたデジタル再生情報中に画像情報等が含まれると判定された場合に、ＤＶカムコーダ２０に、予め設定された分だけ、ＤＶテープ２を巻戻して再生するよう指示することができる。
【０１０５】
したがって、ＣＰＵ１５１が巻戻し指示プログラム１５３５ａを実行した後に、再開制御プログラム１５３４ａを実行してドライブ部１４によるＤＶＤ１への記録動作を再開した際に、いわゆる頭切れを起こすことなく、確実に、画像情報等を含むデジタル再生情報の全てをＤＶＤ１に記録することができる。
【０１０６】
なお、本発明は、上記した実施の形態のものに限るものではなく、その要旨を逸脱しない範囲で適宜変更可能である。
【０１０７】
第１及び第２の実施の形態において、記録装置は、ＤＶＤレコーダ（ＤＶＤレコーダ１０，１０ａ）の限りでなく、再生装置（例えば、ＤＶカムコーダ２０）から受信したデジタル再生情報を記録媒体に記録することができるのであれば任意である。さらに、再生装置から受信したデジタル再生情報を、記録媒体（例えば、ＤＶＤ１）ではなく、例えば、記録装置内の記憶部（例えば、ＨＤＤ（Hard Disk Drive）など）に記録するようにして
もよい。
【０１０８】
また、再生装置は、ＤＶカムコーダ２０の限りでなく、デジタル再生情報を再生することができるのであれば任意である。さらに、デジタル再生情報を記録する記録媒体は、ＤＶテープ２以外にもＤＶＤなどでもよく、また、デジタル再生情報は、例えば、再生装置内の記憶部（例えば、ＨＤＤなど）に記録された情報であってもよい。
【０１０９】
第１及び第２の実施の形態において、ＤＶＤレコーダ（ＤＶＤレコーダ１０，１０ａ）にバッファを備えるようにしてもよい。具体的には、例えば、エンコーダ１３によりエンコードされたデジタル再生情報を、バッファに一時的に記憶し、そして、当該バッファから取得したデジタル再生情報を、ＤＶＤ１に記録するようにしてもよい。
【０１１０】
バッファを備えることにより、第２の実施の形態において、巻戻し指示プログラム１５３５ａを備える必要はない。すなわち、例えば、エンコーダ１３によりエンコードされたデジタル再生情報を、バッファに記憶しておき、当該バッファに記憶されたデジタル再生情報の中から、画像情報等を含むデジタル再生情報であると判定されたデジタル再生情報のみを抽出して、ＤＶＤ１に記録するようにしてもよい。
【図面の簡単な説明】
【０１１１】
【図１】本発明の第１の実施の形態における、ＤＶＤレコーダの機能的構成を示すブロック図である。
【図２】本発明の第１の実施の形態における、停止制御処理を説明するための図である。
【図３】本発明の第１の実施の形態における、ＤＶＤレコーダにおける、ＤＶＤへの記録に関する処理を説明するためのフローチャートである。
【図４】本発明の第２の実施の形態における、ＤＶＤレコーダの機能的構成を示すブロック図である。
【図５】本発明の第２の実施の形態における、再開制御処理及び巻戻し指示処理について説明するための図である。
【図６】本発明の第２の実施の形態における、ＤＶＤレコーダにおける、ＤＶＤへの記録に関する処理を説明するためのフローチャートである。
【符号の説明】
【０１１２】
１  ＤＶＤ（記録媒体）
１０，１０ａ  ＤＶＤレコーダ（記録装置）
１１  Ｉ／Ｆ部（受信手段）
１４  ドライブ部（記録手段）
２０  ＤＶカムコーダ（再生装置）
１５１  ＣＰＵ（判定手段、停止制御手段、停止指示手段、再開制御手段）
１５３１  判定プログラム（判定手段）
１５３２  停止制御プログラム（停止制御手段）
１５３３  停止指示プログラム（停止指示手段）
１５３４ａ  再開制御プログラム（再開制御手段）
【図１】
2007200407.tif 000003
【図２】
2007200407.tif 000004
【図３】
2007200407.tif 000005
【図４】
2007200407.tif 000006
【図５】
2007200407.tif 000007
【図６】
2007200407.tif 000008